(57)【要約】【課題】フレームとこのフレームの上下に被せられた金属板からなる上下シェルとによって構成された扁平なハウジング内に、記録媒体としてのディスクを回転自在に収容してなるディスクカートリッジにおいて、分解を容易にする。【解決手段】フレーム２２の少なくとも一方の面に、この面に対して出没自在でかつ該面から突出する方向に弾性的に付勢された係止突起２５を設けるとともに、上下シェル２３，２４の少なくとも一方に、係止突起２５を係入させる係止孔２３ｃを形成する。【選択図】　　　　　図４
2004127372.tif 000002
【特許請求の範囲】
【請求項１】
フレームと該フレームの上下に被せられた金属板からなる上下シェルとによって構成された扁平なハウジング内に、記録媒体としてのディスクを回転自在に収容してなるディスクカートリッジにおいて、
前記フレームの上下少なくとも一方の面に、該面に対して出没自在でかつ該面から突出する方向に弾性的に付勢された係止突起が設けられるとともに、前記上下シェルの少なくとも一方に、前記係止突起を係入させる係止孔が形成されており、
前記上下シェルの係合によって該上下シェル間に形成された空間に、前記係止突起を前記面から没入させた状態の前記フレームが、前記係止突起を前記係止孔に整合させる位置まで挿入されることによって、前記係止突起が前記係止孔に係入されて前記ハウジングが組み立てられていることを特徴とするディスクカートリッジ。
【請求項２】
前記係止突起が、該係止突起および前記フレームと一体に合成樹脂で形成された弾性を有する薄肉部を介して前記フレームに連結されていることを特徴とする請求項１記載のディスクカートリッジ。
【請求項３】
前記係止突起が、前記フレームと別体に形成され、かつ該係止突起と一体に形成された弾性を有する薄肉部を介して前記フレームに連結されていることを特徴とする請求項１記載のディスクカートリッジ。
【発明の詳細な説明】
【０００１】
【発明の属する技術分野】
本発明は、フレームと該フレームの上下に被せられた金属板からなる上下シェルとによって構成された扁平なハウジング内に、記録媒体としてのディスクを回転自在に収容してなる小形ディスクカートリッジに関し、特にハウジングの組立て構造に関するものである。
【０００２】
【従来の技術】
従来、デジタルカメラ等のモバイル機器においては、記録媒体として例えば図９の概略的斜視図に示すような「ｃｌｉｋ！（登録商標）」と呼ばれる超小型の磁気ディスクカートリッジが使用されている。
【０００３】
この磁気ディスクカートリッジ１は、図１０（ａ）〜（ｃ）にそのロータリーシャッタ７が閉状態にある平面図、右側面図および底面図を、図１１（ａ），（ｂ）にロータリーシャッタ７が開状態にある平面図および底面図を、図１２にその分解斜視図をそれぞれ示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【０００４】
この磁気ディスクカートリッジ１は、このカートリッジ１が挿入態様で装填されるドライブ装置が備えている磁気ヘッドを磁気ディスク５の表面にアクセスさせるためのＶ字状の開口６と、この開口６を開閉するロータリーシャッタ７とが設けられている。ロータリーシャッタ７は互いに係合された上下のシャッタ部材７Ｕ、７Ｄ（図１２参照）からなり、上シャッタ部材７Ｕはセンターピン１７によって上シェル３に軸支されている。そして、磁気ディスク５と上下のシャッタ部材７Ｕ、７Ｄとの間には、それぞれライナー１８が介挿されている。
【０００５】
また、図１０（ａ）におけるハウジングの左側面先端部には、ドライブ装置の係合部材に係合させて、ドライブ装置内での位置決めを確実にするためのノッチ８が形成され、右側面先端部には、なるロータリーシャッタ７を閉位置にロックするシャッタロック部材１１を外部に臨ませる小窓９が形成されている。
【０００６】
ハウジングの下シェル４には、磁気ディスク５のセンタコア１０にドライブ装置のドライブスピンドルを結合させるための円形の開口４ａと、ロータリーシャッタ７と同心的な円弧状溝４ｂとが形成され、下シャッタ７Ｄには、上記円弧状溝４ｂから突出しかつこの円弧状溝４ｂに沿って移動してロータリーシャッタ７を開閉するシャッタノブ７ｂが固設されている。
【０００７】
図１３（ａ）は閉状態にあるロータリーシャッタ７を、図１３（ｂ）は開状態にあるロータリーシャッタ７を、それぞれ上シェル３を取り除きかつ磁気ディスク５を省略して示す平面図である。
【０００８】
ロータリーシャッタ７の外周に形成された係合凹部７ｃに係入し得る係合凸部１１ａを先端に備えて、ロータリーシャッタ７を閉位置にロックするシャッタロック部材１１は、ハウジングに設けられた軸１２に回動自在に取り付けられているとともに、ばね板１１ｂによって、上記係合凸部１１ａが上記係合凹部７ｃに係入し得る方向（図１３の反時計方向）にばね付勢されている。そして、磁気ディスクカートリッジ１がドライブ装置へ挿入される際に、ドライブ装置側に設けられたロック解除部材が小窓９を通してこのシャッタロック部材１１を押圧することにより、ロック部材１１が時計方向に僅かに回動されて、係合凸部１１ａが係合凹部７ｃから脱出することによって、ロータリーシャッタ７のロックが解除されるように構成されている。
【０００９】
ロータリーシャッタ７は、小径の細長いコイルばね１４によって閉方向（図１３の反時計方向）にばね付勢されている。このコイルばね１４の装着のためにガイドワイヤ１３が設けられている。このガイドワイヤ１３の一端は、ロータリーシャッタ７の外周面に対向する部位２ｂにおいてフレーム２に係止され、他端は、ロータリーシャッタ７の外周面に固設された支持部材７ｄをスライド可能に貫通する態様でロータリーシャッタ７の外周に沿って延びている。コイルばね１４は、図１３（ａ）に示すように、ガイドワイヤ１３に沿って伸縮するようにフレーム２の上記部位２ｂと支持部材７ｄとの間に縮装されて、ロータリーシャッタ７を閉方向（図１３の反時計方向）にばね付勢している。この状態から、ロックを解除されたロータリーシャッタ７が図１３の時計方向に回動されると、コイルばね１４が図１３（ｂ）に示すように圧縮されるように構成されている。
【００１０】
【発明が解決しようとする課題】
ところで、上述した従来の磁気ディスクカートリッジ１の組立てに際しては、フレーム２に対して上下シェル３，４を上下から被せて双方の縁部を突き合わせた後、図９に示すように、１０箇所以上の部位Ｐでレーザー溶接により組み立てていた。そのため、リサイクルおよび分別廃棄のための分解時に、溶接部を破壊しなければならず、分解のために非常に手間を要していた。
【００１１】
上述の事情に鑑み、本発明は、溶接部を破壊しなくとも分解が可能なこの種のディスクカートリッジを提供することを目的とするものである。
【００１２】
【課題を解決するための手段】
本発明は、フレームとこのフレームの上下に被せられた金属板からなる上下シェルとによって構成された扁平なハウジング内に、記録媒体としてのディスクを回転自在に収容してなるディスクカートリッジにおいて、
上記フレームの上下少なくとも一方の面に、この面に対して出没自在でかつこの面から突出する方向に弾性的に付勢された係止突起が設けられるとともに、上下シェルの少なくとも一方に、上記係止突起を係入させる係止孔が形成され、
上記上下シェルの係合によって上下シェル間に形成された空間に、上記係止突起を上記面から没入させた状態の上記フレームが、上記係止突起を上記係止孔に整合させる位置まで挿入されることによって、上記係止突起が上記係止孔に係入されて上記ハウジングが組み立てられることを特徴とするものである。
【００１３】
この係止突起およびフレームと一体に合成樹脂で形成された弾性を有する薄肉部を介してフレームに連結されていることが好ましい。その場合のフレームの素材としては、弾性変形性に優れたＡＢＳ樹脂、あるいはポリエステルエラストマー樹脂例えばハイトレル（東レデュポン社製）等が好ましい。
【００１４】
また、上記係止突起は、フレームと別体に形成され、かつこの係止突起と一体に形成された弾性を有する薄肉部を介してフレームに連結されていてもよい。
【００１５】
【発明の効果】
本発明のディスクカートリッジによれば、例えば溶接による上下シェルの係合によって上下シェル間に形成された空間に、付勢力に抗した押圧により上記係止突起を上記面から没入させた状態のフレームが、上記係止突起を上記係止孔に整合させる位置まで挿入されると、上記係止突起がその付勢力により係止孔に係入することによってハウジングが組み立てられるので、分解時には、係止孔に係入している係止突起をその付勢力に抗して押圧するだけで、フレームと上下シェルとの係合を解除することができる。したがって、分解に際して溶接部を破壊することなく、容易にディスクカートリッジを分解することができる利点がある。
【００１６】
また、上記係止突起が、この係止突起およびフレームと一体に合成樹脂で形成された可撓性を有する薄肉部を介してフレームに連結されている場合には、この薄肉部によって上記付勢力を得ることができ、構造が簡単で製作も容易である。
【００１７】
【発明の実施の形態】
以下、本発明の実施の形態について、図面を参照して詳細に説明する。
【００１８】
図１〜図５は本発明による磁気ディスクカートリッジのハウジングを概略的に示す図で、図１は組立て状態の斜視図、図２は分解斜視図である。なお、図１〜図５においては、理解を容易にするために、各部材の寸法比を実際と異ならせ、かつ細部を省略して概念的に示してある。
【００１９】
図１および図２において、この磁気ディスクカートリッジ２０のハウジングは、ＡＢＳ樹脂、あるいはポリエステルエラストマー樹脂例えばハイトレル（東レデュポン社製）等が好ましい合成樹脂製のフレーム２２と、厚さ０．２ｍｍのステンレス鋼板からなる上下シェル２３，２４とによって構成されている。この磁気ディスクカートリッジ２０は、ハウジングの構造が異なるのみで、図９〜図１３に示す従来の磁気ディスクカートリッジ１と略同様の部材をハウジング内に収容しているものである。
【００２０】
上シェル２３は、平板部２３ａと、この平板部２３ａの直線状の前縁２３ｄを除く外縁から垂下する側壁部２３ｂとからなり、前縁２３ｄの左右端の近傍には、後述するフレーム２２の係止突起２５を係入させる係止孔２３ｃ，２３ｃが設けられている。また、下シェル２４は、上シェル２３の平板部２３ａと同一の外形形状を有する平板部２４ａと、この平板部２４ａの直線状の前縁２４ｄを除く外縁から立ち上がる側壁部２４ｂとからなり、平板部２４ａの中央部には、センタコア１０を外部に臨ませる円形孔２４ａが形成されている。
【００２１】
フレーム２２は、円弧状の内縁２２ａを備えるとともに、その上面の左右端部に係止突起２５，２５を備えている。係止突起２５は、図３（ａ）の拡大断面図および図３（ｂ）の拡大平面図に示すように、フレーム２２を上下に貫通する孔２６の内壁から孔２６の中心に向かって梁状に延びる４本の薄肉部２７によってフレーム２２の上面２２ｂから突出した状態で支持されている。係止突起２５および薄肉部２７はフレーム２２と一体の合成樹脂材料で形成されている。４本の薄肉部２７は弾性を有し、係止突起２５の上面を下方に押圧することによって、図３（ａ）に仮想線で示すようにフレーム２２の上面２２ｂから没入させることができ、これによって、係止突起２５はフレーム２２の上面２２ｂから突出する方向に、すなわち上方に向かう付勢力が付与される。なお、上記薄肉部２７は３本でもよく、その梁状薄肉部の数は特に限定しない。あるいは図３（ｃ）に示すように、ダイアフラム状に係止突起２５の全周を取り囲んでいてもよい。
【００２２】
このような構成を有するフレーム２２および上下シェル２３，２４を用いてハウジングを組み立てる場合には、先ず図４に示すように、上下シェル２３，２４の側縁部２３ｂ，２４同士を突き合わせた状態で、例えば溶接によって一体化し、双方の直線状前縁２３ｄ，２４ｄによって画成された開口部３０を有する空間を形成する。
【００２３】
次に、係止突起２５，２５を下方へ押圧し、フレーム２２の上面２２ｂから孔２６，２６内に没入させた状態で、フレーム２２を開口部３０から上下シェル２３，２４間の空間に挿入する。そのとき、係止突起２５，２５は上シェル２３の下面に当接し、その状態で上シェル２３の平板部２３ａの下面に沿って摺動するが、係止突起２５，２５が上シェル２３の係止孔２３ｃ，２３ｃに整合する位置までフレーム２２を押し込むと、図５に示すように、係止突起２５，２５は薄肉部２７の付勢力で弾性的に係止孔２３ｃ，２３ｃ係入して、フレーム２２が上下シェル２３，２４間に係止され、これによってハウジングの組立てが完了する。なお、図５に示す組立て状態では、係止突起２５が上シェル２３の表面から突出していないことが好ましい。
【００２４】
以上の説明で明らかなように、本実施の形態によれば、例えば溶接による上下シェル２３，２４の一体化によって上下シェル２３，２４間に形成された空間に、押圧により係止突起２５，２５を上面から没入させた状態のフレーム２２を、係止突起２５，２５が弾性的に係止孔２３ｃ，２３ｃに係入する位置まで挿入することによってハウジングが組み立てられるので、ハウジングの分解時には、係止孔２３ｃ，２３ｃに係入している係止突起２５，２５を押圧して、係止突起２５，２５と係止孔２３ｃ，２３ｃとの係合を解除するだけで、フレーム２２を上下シェル２３，２４間から引き出すことができる。したがって、分解に際して溶接部を破壊することなく、容易にディスクカートリッジを分解することができる利点がある。
【００２５】
また、係止突起２５，２５が、これら係止突起２５，２５およびフレーム２２と一体に合成樹脂で形成された弾性を有する薄肉部２７を介してフレーム２２に連結されていることにより、構造が簡単で製作も容易である。
【００２６】
なお、分解時には、係止突起２５，２５を強力な力で押し下げて薄肉部２７を破壊してもよいが、部品の再利用の観点から、破壊せずに一時的に変形させる方が好ましい。
【００２７】
上記実施の形態においては、フレーム２２の上面側に２個の円柱状の係止突起２５，２５が設けられているが、図６（ａ）に示すように、３個またはそれ以上の係止突起２５を設けてもよい。さらに、図６（ｂ）に示すように、フレーム２２の上下面の双方に係止突起２５を設けてもよく、その場合は、下シェル２４の平板部２４ａにも、係止突起２５と対応する位置に係止孔を設ければよい。さらに、係止突起の形状も円柱状に限るものではなく、図６（ｃ）に示すように、細長い平面形を有する係止突起２５´を用いてもよい。
【００２８】
また、図７に示すように、フレーム２２の両側面に係止突起２５を設けてもよく、その場合は、孔２６をフレーム２２に水平に設けるとともに、上下シェル２３，２４の両側面に係止孔２９を設ければよい。
【００２９】
さらに、図８（ａ），（ｂ）に示すように、係止突起３５と円板状の弾性薄肉部３７とを備えた、フレーム２２とは別部材の係合部材３２を用いてもよい。その場合、この係合部材３２を収容する円形凹部３６をフレーム２２に設け、かつ凹部３６の底の周囲に、薄肉部３７の外縁と係合して係合部材３２を保持する溝３６ａを設ければよい。なお、図８（ｂ）に斜視図および平面図を示す係合部材３２は円板状の弾性薄肉部３７を備えているが、これに代わり、図８（ｃ）に斜視図および平面図を示すように、四方に延びる短冊状の薄肉部３８を備えた係合部材３３を用いてもよい。
【００３０】
上記係合部材３２，３３は、薄肉部３７または３８が弾性を有する必要がある観点から、樹脂で形成する場合は、ＰＥＴシート材を絞り加工したもの、またはＰＣ（ポリカーボネート）シート材を絞り加工したものが好ましく、金属の場合には、ステンレス鋼板を絞り加工したものが好ましい。
【図面の簡単な説明】
【図１】本発明による磁気ディスクカートリッジの一実施の形態におけるハウジングの概略的斜視図
【図２】図１に示すハウジングの分解斜視図
【図３】図２に示すフレームの要部の拡大断面図および拡大平面図
【図４】図１に示すハウジングの組立て方法を示す斜視図
【図５】ハウジングの要部の拡大断面図
【図６】図６（ａ）〜図６（ｃ）はフレームの３種類の変形構造を示す平面図、正面図および平面図
【図７】本発明による磁気ディスクカートリッジの他の実施の形態におけるハウジングの分解斜視図
【図８】図８（ａ）はフレームとは別部材の係合部材とフレームの断面図、図８（ｂ），（ｃ）は係合部材の斜視図および平面図
【図９】従来の磁気ディスクカートリッジの斜視図
【図１０】図１０（ａ）〜（ｃ）は、ロータリーシャッタが閉状態にあるときの図９の磁気ディスクカートリッジを示す平面図、右側面図および底面図
【図１１】図１１（ａ），（ｂ）は、ロータリーシャッタが開状態にあるときの図９の磁気ディスクカートリッジを示す平面図および底面図
【図１２】図９の磁気ディスクカートリッジの分解斜視図
【図１３】図９の磁気ディスクカートリッジのロータリーシャッタの閉状態および開状態における内部部品の位置関係を示す透視図
【符号の説明】
１，２０　　磁気ディスクカートリッジ
２，２２　　フレーム
３，２３　　上シェル
４，２４　　下シェル
５　　磁気ディスク
７　　ロータリーシャッタ
１０　　センタコア
２３ｃ　　係止孔
２５　　係止突起
２７　　薄肉部
３０　　開口部
【図１】
2004127372.tif 000003
【図２】
2004127372.tif 000004
【図３】
2004127372.tif 000005
【図４】
2004127372.tif 000006
【図５】
2004127372.tif 000007
【図６】
2004127372.tif 000008
【図７】
2004127372.tif 000009
【図８】
2004127372.tif 000010
【図９】
2004127372.tif 000011
【図１０】
2004127372.tif 000012
【図１１】
2004127372.tif 000013
【図１２】
2004127372.tif 000014
【図１３】
2004127372.tif 000015